(57)【要約】【課題】架線が誤切断や盗難等にあって切断されたときの検出方法である。【解決手段】上流地点と下流地点の架線において、上流地点の架線にＰＬＣ親機を、上流地点より下流の架線にＰＬＣ子機を接続して、親機は子機からの信号を受信したときには正常と判断し、受信しないときには上流地点と下流地点の間の架線のいずれかが切断されたと判断する。【選択図】図１
2008299498.tif 000002
【特許請求の範囲】
【請求項１】
上流地点と下流地点を架線で接続されている電気系統において、
前記上流地点の架線にＰＬＣ親機を接続し、前記上流地点より下流の架線にＰＬＣ子機を接続し、前記親機は子機からの信号を受信したときには正常と判断し、受信しないときには上流地点と下流地点の間の架線のいずれかで切断されたと判断することを特徴とする架線切断検出方法。
【請求項２】
３相（ＲＳＴ）の架線において、組合わせた２つの架線に信号を送受信可能に子機と親機を接続し、切断された架線は前記親機と子機で通信不可の組み合せた架線で、且つ、共通の架線であることを特徴とする請求項１の架線切断検出方法。
【請求項３】
上流地点と最終地点を３相（ＲＳＴ）の架線で接続されている電気系統において、
前記上流地点の架線にＰＬＣの親機を接続し、前記上流地点より下流の架線にＰＬＣの子機を接続し、
前記３相架線の何れかの組合せの架線に、親機と子機の間で送受信可能に設置すると共に、前記３相架線の何れかの組合せの架線電圧を測定する電圧測定器を設置し、
親機と子機との間で、前記測定した組合せの架線間電圧が異常であるか否かを判定し、異常である架線の組合せにおいて、共通する架線が切断されたと判断することを特徴とする架線切断検出方法。
【請求項４】
測定した組合せの架線間電圧が正常であるとき、親機との通信で不通の子機は故障であると判断することを特徴とする請求項３の架線切断検出方法。
【発明の詳細な説明】
【技術分野】
【０００１】
本発明は、架線が盗難等にあって切断されたときの検出方法に関する。
【背景技術】
【０００２】
発電所から変電所等へは超高圧架線が施設してあり、その変電所から高圧架線が施設してある。そして、前記高圧架線からトランスを介して、各家庭へは低圧架線が施設してあり、それらの架線は保安員等によって監視されている。
しかし、工事中であれば工事担当者が誤切断を起こしたことによる緊急対策がとれるが、盗難により架線が切断されたときには、停電が起こり、何れの箇所で切断されたのか、迅速にその場所を特定し、復旧作業を行う必要がある。
尚、ワイヤーケーブルを切断して盗難をするという公知例には、特開２００３−２８８６５１号公報があり、この公報には、ワーヤーケーブルの端部に抵抗器が取り付けてあり、ワーヤーケーブル間の電圧を測定することによって、ワイヤケーブルが切断されたか否かの検出を行っている。
【０００３】
【特許文献１】特開２００３−２８８６５１号公報
【発明の開示】
【発明が解決しようとする課題】
【０００４】
前記公報の盗難防止方法は、下線の下端部に抵抗器を取り付けて、その抵抗器を介する電流値を検出する方法であり、抵抗器を取りつけるという煩わしさがある。
そこで、本発明では、ＰＬＣ（Power Line Communications)を使用して、架線が切断されたか否かを検出する方法を提供する。
【課題を解決するための手段】
【０００５】
請求項１の架線切断検出方法は、上流地点と下流地点を架線で接続されている電気系統において、前記上流地点の架線にＰＬＣ親機を接続し、前記上流地点より下流の架線にＰＬＣ子機を接続してある。そして、親機は子機からの信号を受信したときには正常と判断し、受信しないときには上流地点と下流地点の間の架線のいずれかが切断されたと判断する。
又、請求項２の架線切断検出方法は、３相（ＲＳＴ）の架線において、例えば、組合わせたＲＳとＳＴ架線に信号を送受信可能に２台の子機と親機を接続する。この状態で親機と子機の通信を行うと、切断された架線は親機と子機で通信不可の組み合せた架線であり、且つ、子機と接続の共通の架線である。
そこで、例えば、架線Ｒが切断されたとすると、架線ＲＳ、ＴＲを用いる親機と子機の通信は不可であるが、架線ＳＴは可能である。そのため、前記通信不可の架線ＲＳ、ＴＲの組合せにおいて、共通する架線は、「Ｒ」であり、この架線「Ｒ」が切断された架線であると判断する。
【０００６】
請求項３の架線切断検出方法は、上流地点と下流地点を３相（ＲＳＴ）の架線で接続されている電気系統において、上流地点の架線にＰＬＣの親機を接続し、前記上流地点より下流の架線にＰＬＣの子機を接続してある。
例えば、３相架線の組合せにおいて、ＲＳ、ＳＴ間に接続の親機と子機の間で送受信可能に設置すると共に、前記ＲＳ、ＳＴ間の電圧を測定する電圧測定器を設置してある。この場合、親機と子機との間で、測定したＲＳ、ＳＴ間の電圧が異常であるか否かを判定し、異常である架線において、共通する架線が切断されたと判断する。
【０００７】
尚、この場合、例えば、Ｓ架線が切断されても、誘導により親機と子機が通信できることがある。この様な状態においは、測定した架線間の電圧が異常であるか否かを判定することによって、いずれか架線が切断されたか判断できる。
又、３相架線において、何れの組合せの架線に対して、親機と子機を接続するか、何れの組あわせの架線の電圧を測定するかは、何れの架線の異常等を検出するかにより適宜選定すればよく、電圧異常の架線により、何れかの架線が切断されたかがわかる。
又、請求項４の架線切断検出方法は、例えば、測定したＲＳ、ＳＴ、ＴＲ間の電圧が正常であり、親機との通信で不通である子機は故障であると判断する。
【発明の効果】
【０００８】
請求項１の架線切断検出方法は、親機と子機の通信不可でもって、簡便に架線が切断されたと判断することができる。
又、請求項２の架線切断検出方法は、３相（ＲＳＴ）の架線において、通信不可の架線の組合せにおいて、共通する架線が切断された架線であると判断することによって、簡便に、切断された架線の判断ができる。
請求項３の架線切断検出方法は、架線間の電圧を測定する電圧測定器を設置して、親機と子機との間で、測定した架線間の電圧が異常である架線の組合せにおいて、共通する架線が切断されたと、簡便に判断できる。
又、請求項４の架線切断検出方法は、測定した架線間の電圧が正常であり、親機との通信で不通の子機は故障であることも容易に判断できる。
【発明を実施するための最良の形態】
【０００９】
本発明を図面を参照して説明する。図１は電気系統図であり、変電所（図示略）からの３線（Ｒ、Ｓ、Ｔ）の架線は、主架線５の下流で、第１副架線６ａと第２副架線６ｂに分岐して施設してある。
そして、前記架線が切断されたか否かを判断するために、変電所の母線等の上流地点には、ＲＳ間とＳＴ間及びＴＲ間に、信号を送受信するＰＬＣ（Power Line Communications)親機１０と、その親機１０と通信可能なＰＬＣ子機（後述）が接続してある（尚、ＰＬＣ親機、ＰＬＣ子機は、それぞれ、親機、子機ともいう）。又、上流地点には、親電圧測定器３０が設置してあり、ＲＳ、ＳＴ、ＴＲ間の電圧が測定されて、親機１０に入力される。
そして、親機１０では、前記ＲＳ、ＳＴ、ＴＲ間の電圧が予め測定されている正常時の値と比較し、所定範囲内のときには正常であり、範囲外になったとには異常として報知する。尚、この親電圧測定器３０が異常が生ずるのは親機１０より上流地点における異常である。
【００１０】
前記主架線５の分岐点は、親機１０が設置してある上流地点に対し下流定点の分岐点にはＲＳ間のＲＳ主子機２０ａ、ＳＴ間のＳＴ主子機２０ｂ、及びＴＲ間のＳＴ主子機２０ｃが、親機１０と送受信可能に接続してある。
又、この分岐点における線間電圧を測定する主子機電圧測定器３０ａが設置してあり、ＲＳ、ＳＴ、ＴＲ間の電圧が測定されて、前記ＲＳ主子機２０ａ、ＳＴ主子機２０ｂ及びＳＴ主子機２０ｃに入力される。
そして、前記各子機２０（２０ａ、２０ｂ、２０ｃ）は、それらの線間電圧が正常時の電圧と比較され、所定範囲内のときには正常であり、所定範囲より低いときには異常である旨を親機１０に送信する。
尚、これらの線間電圧のデータは、各子機から親機１０へ送信される。従って、ある子機が故障していても、他の子機が故障していないので、何れの線間電圧が異常であるか、親機１０はいずれかの子機からの通信で知ることができる。
【００１１】
又、親機１０が設置してある上流地点に対し、下流定点である前記第１副架線６ａの終端には、ＲＳ間にＲＳ第１子機２１ａ、ＳＴ間にＳＴ第１子機２１ｂ、及びＴＲ間にＴＲ第１子機２１ｃが送受信可能に接続してある。又、線間電圧を測定する第１子機電圧測定器３０ｂが設置してあり、ＲＳ、ＳＴ、ＴＲ間の電圧が測定されて、ＲＳ第１子機２１ａとＳＴ第１子機２１ｂ及びＴＲ第１子機２１ｃに入力される。
そして、前記各子機２１ａ〜２１ｃは、前記測定された線間電圧が正常時の電圧と比較され、所定範囲より低いと、例えば、「ＲＳ線間電圧が異常、その他の線間電圧は正常である」として親機１０に送信する。
【００１２】
また、親機１０が設置してある上流地点に対し下流定点である前記第２副架線６ｂの終端には、ＲＳ間にＲＳ第２子機２２ａ、ＳＴ間にＳＴ第２子機２２ｂ、及びＴＲ間にＴＲ第２子機２２ｃが送受信可能に接続してある。
そして、線間電圧を測定する第２子機電圧測定器３０ｃが設置してあり、ＲＳ、ＳＴ、ＴＲ間の電圧が測定されて、ＲＳ第２子機２２ａとＳＴ第２子機２２ｂ及びＴＲ第２子機２２ｃに入力される。
又、前記各子機２２ａ〜２２ｃは、前記測定された線間電圧が正常時の電圧と比較され、所定範囲より低いと、例えば、ＲＳ間電圧が異常、その他の線間電圧は正常であるとして親機１０に送信する。
以上のように、各子機２１ａ〜２１ｃ、２２ａ〜２２ｃは親機１０に対して、線間電圧が異常であるか否かを、親機１０に送信するので、親機１０は何れの架線が切断されているかを判断することができる。
【００１３】
尚、２本の架線に信号を送受信するＰＬＣ方式は、よく知られているので説明を省略する。又、このＰＬＣ方式に使用するＰＬＣ親機とＰＬＣ子機のハードウエアは、ＣＰＵ、メモリ等を搭載の所謂プロセッサであり、これらのプロセッサで処理するソフトウエアは下記する機能を備えている。
又、このＰＬＣ通信は、屋外で４５０ｋＨｚ以下の電力線通信搬送波であり、信号伝送方式には、例えば、ＦＤＭＡ方式、２位相変位変調方式、周波数シフトキーング方式等で信号を送受信する。
【００１４】
（実施の形態１）
上流側に設置の親機１０と下流側に設置の子機であるＲＳ第１子機２１ａとＳＴ第１子機２１ｂ、ＲＳ第２子機２２ａとＳＴ第２子機２２ｂとの間の架線ＲＳ、ＳＴを使用し、親機１０と前記各子機との間で行う通信の可否によって、架線が切断されたか否かを検出する方法について説明する。尚、親機１０と子機は正常に機能しているとする。
【００１５】
（１）主架線５
親機１０からＲＳ主子機２０ａとＳＴ主子機２０ｂに、ＲＳ間とＳＴ間を介して信号を送信する。この送信信号に対し、ＲＳ主子機２０ａとＳＴ主子機２０ｂは、それぞれ、予め決められた返信信号をＲＳ、ＳＴ架線を介して親機１０に返信し、親機１０がそれらの信号を受信したときには主架線（Ｒ、Ｓ、Ｔ）は正常である。
（２）第１副架線６ａ
親機１０とＲＳ第１子機２１ａ及びＳＴ第１子機２１ｂとの間の通信が正常であるときには、第１副架線６ａは正常である。
（３）第２副架線６ｂ
親機１０とＲＳ第２子機２２ａ及びＳＴ第２子機２２ｂとの間の通信が正常であるときには、第２副架線６ｂは正常である。
【００１６】
（４）第２副架線６ｂの切断
親機１０とＲＳ主子機２０ａとＳＴ主子機２０ｂからの受信状況から、主架線が正常である。
そして、親機１０とＲＳ第２子機２２ａは通信可能であるが、ＳＴ第２子機２２ｂとの間が不通のときには、第２副架線６ｂが切断されたと判断し、且つ、共通の架線「Ｔ」が切断されたと判断する（図２、ケース２）。
又、親機１０とＲＳ第２子機２２ａは不通で、ＳＴ第２子機２２ｂとの間は通信可能であるときには、第２副架線６ｂが切断されたと判断し、且つ、共通の架線「Ｒ」が切断されたと判断する（図２、ケース３）。
又、親機１０とＲＳ第２子機２２ａとＳＴ第２子機２２ｂとの間が、共に不通のときには、第２副架線６ｂが切断されたと判断し、且つ、共通の架線「Ｓ」、又は「ＲとＴ」が同時に、又は「Ｒ、Ｓ、Ｔ」が同時に切断されたと判断する（図２、ケース３）。
【００１７】
（５）第１副架線６ａの切断
この第１副架線６ａが切断されたか否かは、前記第２副架線６ｂと同様に、ＲＳ第１子機２１ａとＳＴ第１子機２１ｂとの間の通信の可否によって判断できる（図２、ケース５〜７）。
（６）主架線５の切断
この主架線５の切断の有無も、親機１０とＲＳ主子機２０ａ及びＳＴ主子機２０ｂとの間の通信の可否によって判断できる（図２、ケース８〜１０）。
【００１８】
以上のように、図２において通信できた架線には「○」を、不通のときには「×」を附すことによって、少なくとも主架線５、第１副架線６ａ、第２副架線６ｂの何れかが切断される。又、各線間の電圧を測定することによって、架線「Ｒ」、「Ｓ」、「Ｔ」の何れが切断されたかを判断することができる。
【００１９】
即ち、架線の上流に親機１０を設置し、架線の分岐点に子機２０ａ〜２０ｂを設置し、架線の下流に第１子機２１ａ〜２１ｂ、第２子機２２ａ〜２２ｂを設置して、親機１０と主子機、第１子機、第２子機との間で通信を行う。
そして、これらの相互の通信が正常であるときには、架線の切断はないと判断できるし、親機１０と子機２０、２１、２２との間の通信状況及び主架線と第１副架線及び第２副架線の系統によって、何れかの子機との通信ができないときには、主架線と第１副架線及び第２副架線の少なくとも何れかが切断されたか判断できる。
尚、子機の設置は、親機との間の架線状況を知るために設置するものであるので、その目的の箇所に設置すればよい。
又、前記親機１０と子機２０、２１、２２は、架線ＲＳ、ＳＴを使用するものであるが、架線ＲＳ、ＳＴ、ＴＲの３つの組合せを使用する親機と子機であってもよい。
【００２０】
（実施の形態２）
本実施の形態は、前記実施の形態１と同じ系統架線に対するものであり、架線が切断されたか、子機が故障であるかの判断を可能にするもので図１、図３を参照して説明する。
尚、親機１０は、架線ＲＳ、ＳＴ、及びＴＲを使用して送受信し、主子機はＲＳ主子機２０ａ、ＳＴ主子機２０ｂ及びＴＲ主子機２０ｃを使用すると共に、第１子機電圧測定器３０ｂを用いる。
【００２１】
又、第１副架線６ａには、ＲＳ第１子機２１ａ、ＳＴ第１子機２１ｂ及びＴＲ第１子機２１ｃと第１子機電圧測定器３０ｂを設置し、第２副架線６ｂにはＲＳ第２子機２２ａ、ＳＴ第２子機２２ｂ及びＴＲ第２子機２２ｃと第２子機電圧測定器３０ｃを設置する。
【００２２】
尚、前記各子機２０ａ〜２０ｃ、２１ａ〜２１ｃ、２２ａ〜２２ｃは、ＲＳ、ＳＴ、ＴＲ間の電圧が正常であるか異常であるか、同じ信号を親機１０に送信する。従って、親機１０は、同じ場所に設置の３台の子機のうち、少なくとも１台の子機と通信が可能であると、架線「ＲＳＴ」の線間電圧が異常であるか否かの判断ができる。
【００２３】
図３に、架線（子機）に対して通信が不通であるか否かと、線間電圧が正常であるか否かを示し、これらの結果を表示する。
（１）親機１０と全ての子機の間で、送受信が可能であるときには、全架線において正常である（ケース１）。
（２）主架線の「Ｒ」が切断されたとき
ＲＳ主子機２０ａとＴＲ間のＴＲ主子機２０ｃから親機１０へは不通、ＳＴ主子機２０ｂから親機１０へは、線間電圧ＲＳ、ＴＲが異常で、ＳＴが正常である旨の信号を送信する。従って、この情報から、架線「Ｒ」が切断されていると判断できる（ケース２）。
【００２４】
（３）主架線の「Ｓ」が切断されたとき
ＲＳ主子機２０ａとＳＴ主子機２０ｂから親機１０へは不通である。又、ＴＲ主子機２０ｃから親機１０へは線間電圧ＲＳ、ＳＴが異常で、ＴＲが正常である旨の信号を送信する。従って、ＴＲ主子機２０ｃから「ＴＲ」が正常であることが判り、架線「Ｓ」が切断されたと判断できる（ケース３）。
【００２５】
（４）主架線の「Ｔ」が切断されたとき
ＳＴ主子機２０ｂとＴＲ主子機２０ｃから親機１０へは不通である。又、ＲＳ主子機２０ａから親機１０へは線間電圧ＴＲ、ＳＴが異常で、ＲＳが正常である旨の信号を送信する。従って、ＲＳ主子機２０ａから「ＲＳ」が正常であることが判り、架線「Ｔ」が切断されたと判断できる（ケース４）。
【００２６】
（５）ＲＳ主子機２０ａが故障の場合
ＲＳ主子機２０ａから親機１０へは不通である。又、ＳＴ主子機２０ｂとＴＲ主子機２０ｃから親機１０へは、線間電圧ＲＳ、ＳＴ、ＴＲが正常である旨の信号を送信する。従って、線間電圧の全てが正常であるので、不通のＲＳ主子機２０ａが故障していることが判断できる（ケース５）。
【００２７】
以下、ＳＴ主子機２０ｂが故障の場合（ケース６）、ＴＲ主子機２０ｃが故障の場合（ケース７）の判断は前記と同じ要領で行う。
又、第１副架線６ａにおける第１子機２１（図３、ケース８）、第２副架線６ｂにおける第２子機２２についても、同様に行う。
【００２８】
以上のように、親機１０と子機との間でＲＳ、ＳＴ、ＴＲの間の線間電圧と通信を実施することによって、Ｒ、Ｓ、Ｔ架線のいずれが切断されたか、又、何れの子機が故障したかの判断ができる。
尚、前記例（図３）では、ＲＳ、ＳＴ、ＴＲの間の通信が可能な３台の子機を用いているが、例えば、ＲＳ、ＳＴ間の通信が可能な２台の子機とＲＳ、ＳＴ、ＴＲの間の線間電圧を測定し、前記子機から前記線間電圧の全てを親機と通信することによって、欠如する情報があり図３とは異なるが、有用な判断をすることができるシステムを構築することができる。
即ち、いずれの線間で通信するか、いずれの線間電圧を測定するかによって、子機と親機の通信情報によって、架線の切断と子機の故障を判断できる。
【００２９】
（実施の形態３）
この実施の形態では、例えば、３相（ＲＳＴ）架線において、Ｓ相が断線しても、誘導信号が発生して、親機と子機の送受信が可能になる場合について説明する。
図４は、３相（ＲＳＴ）のうち、Ｓ相が断線した状態を示し、親機１１０はＲＴ、ＳＴ相で送受信する。又、架線の下流には、ＲＴ相の送受信が可能のＲＴ第１子機１２１ａとＳＴ相の相受信が可能なＳＴ第１子機１２１ｂが設置してある。また、ＲＴ相とＳＴ相間の電圧を測定する第１子機電圧測定器１３０ｂが設置してある。
そして、第１子機電圧測定器１３０ｂで測定した値は、ＲＴ第１子機１２１ａとＳＴ第１子機１２１ｂに送り、ＲＴ第１子機１２１ａとＳＴ第１子機１２１ｂは同じデータを親機１１０の送信する。
【００３０】
架線ＲＳＴが正常であり、且つ、各子機のＲＴ第１子機１２１ａとＳＴ第１子機１２１ｂが正常であるときには、親機１１０は前記子機とＲＴ、ＳＴ相を介して信号を受信する。
ここで、Ｓ相が断線したとき、親機１１０はＲＴ第１子機１２１ａと送受信できるが、ＳＴ第１子機１２１ｂとの送受信が可能であるか否かが問題になる。
しかし、ＳＴ第１子機１２１ｂは、Ｓ相（架線）の切断地点まで相当の距離があると、Ｓ相の信号は誘導されてＴ相（又はＲ相）に誘起される。この誘起によって、信号は、例えば、２０ｄＢ程度低下すると考えられる。そして、更に、前記Ｔ相（又はＲ相）に誘起された信号は、再び、Ｓ相に誘導されて、ＳＴ相で、親機１１０が受信できる。尚、このＴ相（又はＲ相）からＳ相への誘起された信号は、例えば、２０ｄＢ程度低下する。
以上のように、ある架線が断線しても、ＰＬＣ通信においては誘導波が発生するので、切断されていない架線に誘導されて通信が可能になる場合があるが、その信号レベルは相当低くなる。
従って、その低レベルの信号を検知して、何れの架線が切断されたかを推定する方法もあるが、より明確に判断するために、ここでは親機と子機の送受信の信号で、「相間電圧」の情報（信号）をもって判断する。
【００３１】
図５は、ＲＴ、ＳＴ間の親機１１０とＲＴ第１子機１２１ａ及びＳＴ第１子機１２１ｂとの通信の可否、第１子機電圧測定器１３０ｂで測定した電圧が正常であるか否かに対する判断である。
（ケース１）
全架線（ＲＳＴ）が正常であるときには、ＲＴ、ＳＴ相間電圧は正常であり、親機１１０は前記子機とＲＴ、ＳＴ相を介して、ＲＴ、ＳＴ相間電圧が正常である信号を受信する。
【００３２】
（ケース２）
例えば、Ｓ相が切断したときには、ＲＴ間の電圧は正常であるが、ＳＴ間の電圧は異常である。そこで、ＲＴ第１子機１２１ａはＲＴ相を介して、ＲＴ間の電圧は正常である旨と、ＳＴ間の電圧は異常である旨を親機１１０に送信する。
尚、ＳＴ第１子機１２１ｂはＳＴ相を介して親機１１０に送信するが、Ｓ相が切断状態であるので送信不可であるが、前記したような誘導信号が生ずると、親機１１０はＳＴ相を介して受信できることがある。
しかし、親機１１０は、ＲＴ第１子機１２１ａから、「ＳＴ間の電圧は異常、ＲＴ間の電圧は正常である」旨の信号を受信しているので、「Ｓ相」が切断されたと判断できる。
この様に、ＲＳＴの３線において、例え、１架線が切断されても、通信信号は他の架線に誘導されて、子機と親機は通信可能であるので、親機と子機の通信の可否をもって、架線が正常か否かを判断するのは正確さを欠くこととなる。そこで、架線が切断されたという明確な判断は相間電圧の信号が必要である。
【００３３】
又、ケース３は「Ｒ相」が切断されたときであり、前記「Ｓ相」の切断と同じように考えることができる。
また、ケース４は、第１子機の共通の「Ｔ相」が切断されたときである。
親機１１０は信号レベルが低下した信号の受信か可能であると、相間電圧の信号を得ることができるので、「Ｔ相」が切断されたことを推定できる。或いは、前記の例示はＲＴとＳＴ相に、２台の子機が設置してあるが、更に、ＲＳ相に子機を設けることによって、ＲＴ相子機、ＳＴ相子機からの信号を受信できない場合でも、「Ｔ相」が切断されたことが明確に判る。
以上のように、図５のケース２〜４においては、親機１１０と子機の間の架線が切断されたと判断できる。
尚、ＲＳ、ＳＴ、ＲＴ相間の電圧が正常で、子機の１台と通信が不可の場合には、その子機は故障であると判断できる。又、１線が切断されたときには、必ず、２つの相間電圧が異常となることから、電圧異常が１つの相間のみ送信されてきたときには、電圧測定器の故障と判断できる。
【００３４】
尚、本願発明は、架線の系統を考慮して子機を設け、親機と子機の間の架線が切断されたという段階の情報、何れの架線が切断されたという段階の情報、何れかの子機が故障したという段階の情報、電圧測定器の故障等、何れの情報を得るかによって、ある地点における子機の設置数と、何れの相間電圧を測定するかによって構築し、前記実施の形態に限定されないことはいうまでもない。
【図面の簡単な説明】
【００３５】
【図１】電気系統図である。
【図２】実施の形態１を説明する図である。
【図３】実施の形態２を説明する図である。
【図４】実施の形態３の電気系統図である。
【図５】実施の形態３を説明する図である。
【符号の説明】
【００３６】
５  主架線
６ａ  第１副架線
６ｂ  第２副架線
１０、１１０  親機
２０（２０ａ〜２０ｃ）  主子機
２１（２１ａ〜２１ｃ）  第１子機
２２（２２ａ〜２２ｃ）  第２子機
３０（３０ａ、３０ｂ、３０ｃ）  電圧測定器
１２１（１２１ａ〜１２１ｂ）  第１子機
【図１】
2008299498.tif 000003
【図２】
2008299498.tif 000004
【図３】
2008299498.tif 000005
【図４】
2008299498.tif 000006
【図５】
2008299498.tif 000007